(57)【特許請求の範囲】
【請求項１】
複数の遊技機を支持枠に列設して成る遊技機島の上部外壁を構成する幕板装置において、
前記支持枠の上部外側に枠組ユニットを装着し、該枠組ユニットの上部に形成された開口部に係止手段を設け、該係止手段に支持板の両側がスライド可能に係止されて前記枠組ユニット内に収納され、前記開口部を通して引出された支持板は、前記係止手段に係止状態のまま傾倒させると前記枠組ユニット上で水平状態に保持され、
前記枠組ユニットは、前記上部外壁に取付けるベース板に横長の箱体を固定し、該箱体の上部に細長状の開口部を長手方向に形成して該開口部の両端に係止手段を垂直に固定し、該係止手段が枠組ユニット内より前記開口部を通して上方に延出して成ることを特徴とする遊技機島の幕板装置。
【請求項２】
複数の遊技機を支持枠に列設して成る遊技機島の上部外壁を構成する幕板装置において、
前記支持枠の上部外側に枠組ユニットを装着し、該枠組ユニットの上部に形成された開口部に係止手段を設け、該係止手段に支持板の両側がスライド可能に係止されて前記枠組ユニット内に収納され、前記開口部を通して引出された支持板は、前記係止手段に係止状態のまま傾倒させると前記枠組ユニット上で水平状態に保持され、
前記枠組ユニットは、前記上部外壁に取付けるベース板に横長の箱体を固定し、該箱体の上部に細長状の開口部を長手方向に形成して該開口部の両端に係止手段を固定して成り、
前記係止手段は、対向面に一対の係止軸を突設して該一対の係止軸を前記支持板の両端側面に形成された案内溝に係止し、枠組ユニット内より前記開口部を通して出入される前記支持板を案内し且つ水平傾倒時には前記支持板の一端を保持するよう構成することを特徴とする遊技機島の幕板装置。
【発明の詳細な説明】
【０００１】
【発明の属する技術分野】
本発明は、複数の遊技機を支持枠に列設して成る遊技機島の上部外壁を構成する幕板装置に関し、特に遊技者の手荷物等を載置する支持台を出入り可能にした幕板装置に関する。
【０００２】
【従来の技術】
従来より、遊技者が遊技をする際、遊技者の大半は何等かの手荷物を持って遊技場に入場する場合が多く、これらの遊技者は、遊技場等に備えられているロッカー等が利用されている。
【０００３】
この種のロッカーは、遊技台からは離れた場所に設置されているため、一度手荷物を収納すると、遊技の途中で荷物の出入れをする場合には席を離れなければ成らないため遊技への集中心が散漫になり、また、遊技が終了して出場する際にはロッカーに立寄るルートを通らなければならない煩わしさがあるため、余り利用されていないのが現状である。
【０００４】
しかし、遊技台の近辺には手荷物の置き場が無いため、この手荷物が床上に置かれることとなり、足下の邪魔になるため遊技をする際に支障をきたす問題を有していた。
【０００５】
近年は、一部の遊技場においては図７に示すように、遊技機上部の幕板部を改造して手荷物等を載置する固定式の支持台を設けた幕板装置が使用されている。この種の幕板装置１は、遊技機島２を構成すべく列設された複数のパチンコ機（遊技機）３、３…に対応して、各パチンコ機（遊技機）３、３…上部の幕板部に手荷物を支持する支持台４を前方に突出させて固定される構成となっている。
【０００６】
【発明が解決しようとする課題】
このような幕板装置１は、水平な支持板５を前方に突出させて固定した構成となっているため、遊技者が立上がった際、支持板５に頭部が当たって思わぬ怪我をすることもあり、また、支持台４が固定式であるため遊技者の所有物以外の物までが放置され、支持台４上に不要なものまでが放置されて散在し、汚れたままの状態となる問題を有している。
【０００７】
さらに、このような支持台４は、デザイン上遊技機全体との調和がとれず美観が損なわれる問題を有していた。
【０００８】
本発明は、上記問題点を解決するためになされたもので、支持板を使用する際は枠組ユニット内より引出して水平に傾倒保持することによって遊技者の手荷物等を支持することができ、また支持板が使用されない場合は枠組ユニット内に収納して隠蔽することができ、遊技者にとって支障を与えることがなく遊技機の外観が美麗に保たれ、遊技者の手荷物等を載置する際の取扱いが便利な遊技機島の幕板装置を提供することを目的としている。
【０００９】
【課題を解決するための手段】
本発明の遊技機島の幕板装置は、枠組ユニットが、前記上部外壁に取付けるベース板に横長の箱体を固定し、該箱体の上部に細長状の開口部を長手方向に形成して該開口部の両端に係止手段を垂直に固定し、該係止手段が枠組ユニット内より前記開口部を通して上方に延出していることを特徴としている。
【００１０】
本発明の遊技機島の幕板装置によれば、支持板を枠組ユニットから出入れする際に確実に案内されるので、出入れ作業が容易となる。
【００１１】
本発明の遊技機島の幕板装置は、枠組ユニットが、前記上部外壁に取付けるベース板に横長の箱体を固定し、該箱体の上部に細長状の開口部を長手方向に係止して該開口部の外側両端に係止手段を固定して成り、
前記係止手段は、対向面に一対の係止軸を突設して該一対の係止軸を前記支持板の両端側面に形成された案内溝に係止し、枠組ユニット内より前記開口部を通して出入される前記支持板を案内し且つ水平傾倒時には前記支持板の一端を保持するよう構成することを特徴としている。
【００１２】
本発明の遊技機島の幕板装置によれば、枠組ユニットが係止手段を開口部の外側両端に固定され、この係止手段が、対向面より突設した一対の係止軸が支持板の両側に形成された案内溝に係止するように構成されるので、支持板を枠組ユニット内から出入れする際の取扱いが容易となる。また、支持板両端の案内溝部が厚く形成されるので支持板の支持強度を増大させることができる。
【００１７】
【発明の実施の形態】
以下、実施の形態を挙げ図面に基づいて本発明を説明する。
【００１８】
最初に本発明の遊技機島の幕板装置につき説明する。
【００１９】
図１〜図４は、本発明の第１実施形態を示している。
【００２０】
図１は本発明の幕板装置を装備した遊技機島の部分斜視図、図２は幕板装置の斜視図、図３は幕板装置を一部破断した部分斜視図であり、図４は幕板装置の断面図である。
【００２１】
先ず、図１に示すように、遊技機島１を構成する支持枠１１の下部外側には、腰板１４が取付けられており、その上には天板１５が固定されている。天板１５の上には、複数のパチンコ機（遊技機）１２、１２が…列設されており、各パチンコ機１２、１２…の間には、遊技媒体であるパチンコ球を給付する玉貸し機１３が介装されている。
【００２２】
パチンコ機１２と玉貸し機１３の上方には、各パチンコ機１２に対応した表示ランプ１７、１７…を備えた化粧板１６が取付けられている。
【００２３】
表示ランプ１７は、各パチンコ機１２のフィーバー状態や異常発生の際に点灯して、遊技場の店員に知らせるためのものである。なお、本実施形態では、各パチンコ機１２は１列に列設されているが、各パチンコ機１２等が背中合わせに二列となるように列設してもよい。
【００２４】
支持枠１１内の上部には、各パチンコ機１２、１２…に球を供給する図示しない輸送樋が架け渡されており、該搬送樋の途中の複数箇所と各パチンコ機１２、１２…とは、球が流下するジャバラ（不図示）で接続されている。そして、支持枠１１最上部の外側には、輸送樋やジャバラ等をも含む島上部の内部構造を隠蔽するための幕板装置２０が設けられている。幕板装置２０は、パチンコ機１２の横幅にほぼ対応した長さを有しており、複数の幕板装置２０、２０…が支持枠１１の最上部外側に並設されている。
【００２５】
幕板装置２０は、図２〜図４に示すように、支持枠１１の上部外側に枠組ユニット２１が装着され、枠組ユニット２１の上部に形成された開口部２２には係止手段２３が設けられている。この係止手段２３には、支持板２４の両側がスライド可能に係止されて枠組ユニット２１内に収納され、開口部２２を通して引出された支持板２４は、係止手段２３に係止状態のまま傾倒させると枠組ユニット２１上で水平状態に保持されるように構成されている。
【００２６】
また、枠組ユニット２１は、上部外壁２５に金具２６ａ、２６ｂを介して取付けられるベース板２７の前面に横長の箱体２８が固定され、箱体２８上部の長手方向には細長状の開口部２２が形成されている。
【００２７】
この開口部２２の両端には、係止手段２３である一対の縦長の角ブロック体２９がベース板２７に垂直に固定され、角ブロック体２９は枠組ユニット２１内より開口部２２を通して上方に延出している。
【００２８】
角ブロック体２９の対向面には長手方向に案内溝３０が設けられ、案内溝３０には支持板２４の一端両側より突設した係止軸３１、３１がスライド可能に係止されている。
【００２９】
そして、角ブロック体２９の案内溝３０は、支持板２４を枠組ユニット内より開口部２２を通して出入れする際上下に案内し、且つ外部に引出された支持板２４を垂直状態から水平に傾倒する際に支持板の一端が保持されるように構成されている。
【００３０】
尚、枠組ユニット２１は、支持板２４を隠蔽収納するだけでなく、表示ランプ１７の代りとして使用することができ、各パチンコ機のフィーバー状態や異常状態の際に点灯させるようにしても良い。
【００３１】
また、支持板２４の一端両側より突設した係止軸３１、３１を、支持板２４より両外側に向けて弾力的に押圧付勢するよう構成して、一対の案内溝３１に対し弾力的に係止させておけば、支持板２４の着脱が容易に行える。
【００３２】
次に、第１実施形態の作用を説明する。
【００３３】
図１に示す遊技機島１の端から２台目のパチンコ機１２の幕板装置２０のように使用されていない支持台２４は、枠組ユニット２１内に隠蔽収納されている。そこで、支持板２４が図２に示す枠組ユニット２１内から取っ手３２を持って上方へ引上げると、支持板２４は、両端の係止軸３１、３１が一対の縦方向の案内溝３０、３０に案内されて上方へ移動する。
【００３４】
支持板２４の係止軸３１、３１が案内溝３０、３０の最上端まで引上げられると、この支持板２４を前方に傾倒させることができる。
【００３５】
この傾倒に際し、支持板２４は、係止軸３１、３１が案内溝３０、３０に係止されたままの状態で係止軸３１、３１中心として揺動し、枠組ユニット２１の上面に水平に保持される。
【００３６】
好ましくは、支持板２４が水平に保持される際、係止軸３１、３１と係止している案内溝３０、３０は、この案内溝３０、３０の最上端で係止するように構成することである。
【００３７】
次に、支持板２４が不要となったときは、取っ手３２を持って支持板２４の一端を持ち垂直になるまで揺動させると、支持板２４は係止軸３１、３１が案内溝３０、３０に案内されて開口部２２を通して枠組ユニット２１内部に下降し、隠蔽収納される。
【００３８】
このように、支持板２４が不要になると、枠組ユニット２１内隠蔽収納されるので、支持板２４上に不要なものが散在することもなくなり、パチンコ機の美観が損なわれることもなくなる。
【００３９】
また、支持板２４が枠組ユニット２１の内部から出し入れされる際には、係止軸３１、３１が案内溝３０、３０に案内されるので、その操作を極めて容易に行うことができる。
【００４０】
次に、第２実施形態につき説明する。
【００４１】
図５および図６は、第２実施形態を示している。
【００４２】
図５は幕板装置の部分斜視図であり、図６は幕板装置の断面図である。
【００４３】
本実施形態に係る遊技機島の幕板装置３５は、枠組ユニット３６が、上部外壁２５に取付けられるベース板３７に横長の箱体３８を固定し、該箱体３８の上部に細長状の開口部３９を長手方向に形成して開口部３９の上部に開口部３９の横幅に合わせて係止手段４０が固定される。
【００４４】
この係止手段４０は、一対の軸受けブロック４１を開口部３９上部の両端に配設し、その対向面より一対の係止軸４２、４２を内方に向けて同軸上に突設し、一対の係止軸４２、４２を支持板４３の両端側面に形成された案内溝４４に係止している。
【００４５】
さらに係止手段４０は、枠組ユニット３６内より開口部３９を通して出入される支持板４３を案内し、且つ支持板４３が水平に傾倒される際は、支持板４３の一端が係止軸４２、４２に係止された状態で枠組ユニット３６の上面に水平に保持されるように構成されている。
【００４６】
次に第２実施形態の作用を説明する。
【００４７】
支持台４３が使用されない場合、支持台４３は、枠組ユニット３６内に隠蔽収納された状態となっている。
【００４８】
そこで、支持板４３を使用する場合は、図６に示すように、取っ手４５を持ち支持板４３を枠組ユニット３６内から上方へ引上げると、支持板４３は、両端の案内溝４４が一対の係止軸４２に案内されて移動する。
【００４９】
支持板４３が、この両端の案内溝４４が一対の係止軸４２に案内されて最上端まで引上げられると、この支持板４３を前方に傾倒させることができる。
【００５０】
この傾倒に際し、支持板４３は、案内溝４４、４４が係止軸４２、４２に係止されたままの状態で、係止軸４２、４２中心として揺動し枠組ユニット３６の上面に水平に保持される。
【００５１】
次に、支持板４３が使用されない場合は、取っ手４５を持って支持板４３を上方に揺動させてほぼ垂直になるまで傾倒させると、支持板４３は案内溝４４、４４が係止軸４２、４２に案内されて開口部３９を通して枠組ユニット３６内部に自重で下降し、隠蔽収納される。
【００５２】
このように、支持板４３は、両側面の案内溝４４部が厚く形成されるので、支持板４３の強度を増大させることができる。
【００５３】
以上、本発明の実施形態を図面によって説明してきたが、具体的な構成はこれら実施形態に限られるものではなく、例えば、本幕板装置は、パチンコ機に使用した例について説明したが、スロットマシンに使用しても良く、また枠組ユニットは多様な形態のものを利用することができ、本発明の要旨を逸脱しない範囲における変更や追加があっても本発明に含まれる。
【００５４】
【発明の効果】
本発明は、次の効果を奏する。
【００５５】
（ａ）請求項１に記載の発明によれば、係止手段に支持板の両側がスライド可能に係止されて前記枠組ユニット内に収納されるので、枠組ユニット内に隠蔽されて遊技者にとって支障を与えることがなく外観が美麗に保たれる。また、開口部を通して引出された支持板は、前記係止手段に係止状態のまま傾倒させると前記枠組ユニット上で水平状態に保持されるので、遊技者の手荷物等を載せることができるとともに、支持板を枠組ユニットから出入れする際に確実に案内されるので、出入れ作業が容易となる。
【００５６】
（ｂ）請求項２に記載の発明によれば、枠組ユニットが係止手段を開口部の外側両端に固定され、この係止手段が、対向面より突設した一対の係止軸が支持板の両側に形成された案内溝に係止するように構成されるので、支持板を枠組ユニット内から出入れする際の取扱いが容易となる。また、支持板両端の案内溝部が厚く形設されるので支持板の支持強度を増大させることができる。
【図面の簡単な説明】
【図１】本発明の第１実施形態に係る幕板装置を装備した遊技機島の部分斜視図である。
【図２】本発明の第１実施形態に係る幕板装置の斜視図である。
【図３】本発明の第１実施形態に係る幕板装置を一部破断した部分斜視図である。
【図４】本発明の第１実施形態に係る幕板装置の断面図である。
【図５】本発明の第２実施形態に係る幕板装置の部分斜視図である。
【図６】本発明の第２実施形態に係る幕板装置の断面図である。
【図７】従来の幕板装置を装備した遊技機島の部分斜視図である。
【符号の説明】
１    遊技機島
１１  支持枠
１２  遊技機（パチンコ機）
２０、３５  幕板装置
２１、３６  枠組ユニット
２２、３９  開口部
２３、４０  係止手段
２４、４３  支持板
２５  上部外壁
２７、３７  ベース板
３０、４４  案内溝
３１、４２  係止軸
【図１】
0003904623.tif 000002
【図２】
0003904623.tif 000003
【図３】
0003904623.tif 000004
【図４】
0003904623.tif 000005
【図５】
0003904623.tif 000006
【図６】
0003904623.tif 000007
【図７】
0003904623.tif 000008